(57)【要約】【課題】本考案は侵入者や犯罪者に対して威嚇し、逃げないように時間稼ぎが可能である刺又を提供することを目的とする。【解決手段】長柄１の先端に設けた捕捉部２の内側に、スタンガン３の接触子31を配置し、長柄１の先端側に催涙スプレー装置４を配置させ、且つ、長柄１の後端側に、スタンガン用ボタン61と催涙スプレー用ボタン62とが少なくとも設けられた操作盤６を配置させる。また前記催涙スプレー装置４として、噴射ノズル41を有した催涙スプレー容器42と、該催涙スプレー容器42を長柄１に取付けるための容器取付部材43と、催涙スプレー容器42を押出して噴射ノズル41から催涙スプレー液を噴射させるための容器押出装置44と、長柄１に内蔵させた増幅用トランス45と、から少なくとも成すものとするのが好ましい。【選択図】図１
0003199166.tif 000002
【実用新案登録請求の範囲】
【請求項１】
長柄（１）の先端に捕捉部（２）を設けた刺又に於いて、少なくとも、前記捕捉部（２）の内側にスタンガン（３）の接触子（31）を配置し、前記長柄（１）の先端側に催涙スプレー装置（４）を配置させ、且つ、前記長柄（１）の後端側に、スタンガン用ボタン（61）と催涙スプレー用ボタン（62）とが少なくとも設けられた操作盤（６）が配置されたことを特徴とする刺又。
【請求項２】
前記催涙スプレー装置（４）が、噴射ノズル（41）を有した催涙スプレー容器（42）と、該催涙スプレー容器（42）を前記長柄（１）に固定するための容器取付部材（43）と、前記催涙スプレー容器（42）を押出して前記噴射ノズル（41）から催涙スプレー液を噴射させるための容器押出装置（44）と、前記長柄（１）に内蔵させた増幅用トランス（45）と、から少なくとも成された請求項１記載の刺又。
【請求項３】
前記長柄（１）の中間部に連結部材（５）を設け、前記長柄（１）が分割可能に成されると共に、前記連結部材（５）が、前記長柄（１）を挿入する継手部（51）と、該継手部（51）の両端部に内蔵する歯状の抜け防止具（52）と、から成された請求項１記載の刺又。
【請求項４】
前記長柄（１）の分割された一方に、他方の前記長柄（１）を一緒に保管するための分割柄固定具（７）が取付けられた請求項３記載の刺又。
【請求項５】
前記噴射ノズル（41）が、前記長柄（１）の長手方向に対して上方に向けて取付けられた請求項２記載の刺又。
【考案の詳細な説明】
【技術分野】
【０００１】
本考案は相手の動きを封じ込めるための自衛道具として用いられる刺又に関する。
【背景技術】
【０００２】
一般に刺又は、Ｕ字形の金具に２〜３メートルの柄が付いており、金具の部分で相手の首や腕などを壁や地面に押し付け、暴れる犯罪者の動きを封じ込めるための防犯器具であった。特に長尺な柄が設けられているので、包丁やナイフなどの凶器を持った犯罪者と一定の距離を保って安全に対峙できるものであり、且つ、犯罪者の行動を抑制させることが可能なものであった。
【０００３】
近年に於いて、Ｕ字形の金具以外に他の機能を設けたものとして、実用新案登録第３０９５８４３号や特開２００５−３４５０８２号などがある。実用新案登録第３０９５８４３号は、Ｕ字形の金具に電極を設け、長柄の手元側にスタンガンのスイッチと、安全ピンつきストラップを設けた刺又の提案である。しかしながら、動き回る攻撃者に対してスタンガン機能をうまく発揮できない場合があった。又、この考案の目的の１つは、攻撃者にそれを奪われた場合には、安全ピンつきストラップでスタンガン機能を不可能にし、万一の事態に対応できるものとしたものである。
【０００４】
一方、特開２００５−３４５０８２号は、警報ブザー、１１０番通報発信装置、小型カメラ、フラッシュ等を取付けて多機能を持たせた刺又の提案である。しかしながら、これは電気部品や電子部品等が搭載され、それらの配線を柄の中に収納する必要があり、製造コストが高くなり、気軽に購入できないものとなっていた。
【先行技術文献】
【特許文献】
【０００５】
【特許文献１】実用新案登録第３０９５８４３号公報
【特許文献２】特開２００５−３４５０８２号公報
【考案の概要】
【考案が解決しようとする課題】
【０００６】
本考案は侵入者や犯罪者に対して威嚇し、逃げないように時間稼ぎが可能である刺又を提供することを目的とする。
【課題を解決するための手段】
【０００７】
本考案は上記現状に鑑み成されたものであり、つまり、長柄の先端に設けた捕捉部の内側に、スタンガンの接触子を配置し、長柄の先端側に催涙スプレー装置を配置させ、且つ、長柄の後端側に、スタンガン用ボタンと催涙スプレー用ボタンとが少なくとも設けられた操作盤を配置させる。また前記催涙スプレー装置として、噴射ノズルを有した催涙スプレー容器と、該催涙スプレー容器を長柄に固定するための容器取付部材と、催涙スプレー容器を押出して噴射ノズルから催涙スプレー液を噴射させるための容器押出装置と、長柄に内蔵させた増幅用トランスと、から少なくとも成すものとするのが好ましい。又、長柄の中間部に連結部材を設け、長柄を分割可能に成し、前記連結部材を、長柄が挿入される継手部と、該継手部の両端部に内蔵する歯状の抜け防止具と、から成すものとするのが好ましい。更に分割された長柄の一方に分割柄固定具を取付けるものとしても良い。
【考案の効果】
【０００８】
請求項１のように長柄（１）の先端に設けた捕捉部（２）の内側にスタンガン（３）の接触子（31）を配置し、長柄（１）の先端側に催涙スプレー装置（４）を配置させ、且つ、長柄（１）の後端側に、スタンガン用ボタン（61）と催涙スプレー用ボタン（62）とが少なくとも設けられた操作盤（６）を配置することにより、侵入者や犯罪者に対して、スタンガン機能と催涙スプレーとを同時に発揮させることが可能となるため、身体的なダメージ及び心理的な威嚇を与えることが可能となり、避難するための時間稼ぎが可能となる。
また操作が簡単で且つ侵入者や犯罪者の動きを確実に封じ込め可能な自衛道具として重宝するものとなる。
【０００９】
請求項２のように催涙スプレー装置（４）が、噴射ノズル（41）を有した催涙スプレー容器（42）と、該催涙スプレー容器（42）を長柄（１）に固定するための容器取付部材（43）と、催涙スプレー容器（42）を押出して噴射ノズル（41）から催涙スプレー液を噴射させるための容器押出装置（44）と、長柄（１）に内蔵させた増幅用トランス（45）と、から少なくとも成されることにより、催涙スプレーの遠隔操作が可能となる。
【００１０】
請求項３に示すように長柄（１）の中間部に連結部材（５）が設けられ、長柄（１）を分割可能に成すと共に、連結部材（５）を、長柄（１）が挿入される継手部（51）と、該継手部（51）の両端部に内蔵する歯状の抜け防止具（52）と、から成すものとすることにより、持運びや収納が容易なものとなる。
【００１１】
請求項４に示すように長柄（１）の分割された一方に、他方の長柄（１）を一緒に保管するための分割柄固定具（７）が取付けられることにより、長柄（１）の中間部に設けた連結部材（５）で、長柄（１）が常に連結可能となり、且つ、他方の長柄（１）を紛失することなく保管できるものとなる。
【００１２】
請求項５のように噴射ノズル（41）を長柄（１）の長手方向に対して、上方に向けて取付けることにより、侵入者の胴部分を捕捉部（２）で押さえた場合であっても、催涙スプレー液が侵入者の顔側へ噴射でき、催涙スプレー液が侵入者に対して有効に作用可能なものとなる。
【図面の簡単な説明】
【００１３】
【図１】本考案の実施形態を示す説明図である。
【図２】本実施形態の催涙スプレー装置の主要部品を示す説明図である。
【図３】本実施形態の連結部材を示す説明図である。
【図４】本実施形態の分割柄固定具の使用状態を示す説明図である。
【考案を実施するための形態】
【００１４】
本考案の実施形態を図１に基づいて説明する。（１）は軽くて丈夫な鉄，ステンレス，アルミニウム等の金属パイプ、或いは強化プラスチックパイプで形成された長柄であり、該長柄（１）は中央で２分割可能なもので、長さが２メートル前後のものである。尚、２分割した長柄（１）の端部は、後述するスタンガン（３）と催涙スプレー装置（４）の配線が、図示しないオスとメスのジョイントによって、容易に接続と分断が行えるように成されている。
【００１５】
（２）は長柄（１）の先端に設けたＵ字形の捕捉部であり、該捕捉部（２）は軽くて丈夫なアルミニウムなどの金属パイプを用い、前記長柄（１）と同じ材料のもので一体に形成している。尚、前記捕捉部（２）の形状はＵ字形に限定されるものではなく、例えばＹ字形としても良い。又、図示しないが、Ｕ字形やＹ字形の中央で軸支させ、両端が折畳まれて幅が狭くなるような構造としても良い。
【００１６】
（３）は捕捉部（２）の内側に突出させて配置した接触子（31）を有するスタンガンであり、該接触子（31）としては５ｍｍ前後の太さの銅の棒を電極として用いると良い。この時、接触子（31）を棒状にすることにより、相手を傷付けないようにさせている。尚、スタンガン（３）やその接触子（31）は、護身用に使用されているものと同じものを用い、なるべく小さな携帯型のハンディタイプのものを用いると良い。このスタンガン（３）は相手に電気ショックを与えて侵入者などに、身体的なダメージを与えると共に心理的な威嚇を与えることができるものであれば良い。電圧としては、例えば１万〜３０万ボルトの高圧電圧を用い、電流としては、例えば１〜１０ミリアンペアの微小電流を使用するのが好ましい。
【００１７】
（４）は捕捉部（２）の内側に向って噴射するように配置した噴射ノズル（41）を有する催涙スプレー装置であり、該催涙スプレー装置（４）としては図２に示すように、噴射ノズル（41）を有すると共に内部に催涙スプレー液を充填して封入された催涙スプレー容器（42）と、該催涙スプレー容器（42）と後述するモーター（44c）を長柄（１）に固定するための金属板製或いは合成樹脂製の容器取付部材（43）と、催涙スプレー容器（42）を押出して噴射ノズル（41）から催涙スプレー液を噴射させるための容器押出装置（44）と、長柄（１）に内蔵させた増幅用トランス（45）と、から少なくとも成されている。前記噴射ノズル（41）は長柄（１）の長手方向に対して、上方に向けて取付けておくと、侵入者により有効に作用可能なものとなる。
【００１８】
又、前記催涙スプレー容器（42）としては、護身用で使用する細めのスプレー缶型のものを用い、その中身の主成分としては、トウガラシスプレーを主成分とする一般的に市販されているものを用いると良いが、これに限定されるものではない。前記容器取付部材（43）には、合成樹脂製の取付本体（43a）と、開口する挟持部を閉じるためのネジ（43b）とナット（43c）とがある。又、前記取付本体（43a）の挟持部は、下部には長柄（１）を挟持する部分と、上部には催涙スプレー容器（42）とモーター（44c）を挟持する部分がある。更に前記取付本体（43a）の一端部には噴射ノズル（41）を挿入する穴と、催涙スプレー液を噴射させる噴射穴が設けられており、前記取付本体（43a）の中央には、押出材（44a）を遊嵌させる案内筒が立設されている。
【００１９】
また前記容器押出装置（44）は催涙スプレー容器（42）の後端を押すためのものであり、この容器押出装置（44）には、内側にネジ穴が形成された押出材（44a）と、該押出材（44a）のネジ穴と螺合するネジ山が刻設されたモーター軸（44b）と、モーター（44c）と、が少なくともある。尚、前記容器押出装置（44）は上記構造に限定されるものではなく、例えばモーター（44c）の代りにソレノイドを用いた構造のものにしても良い。
【００２０】
（５）は長柄（１）の中間部に設けられ連結部材であり、該連結部材（５）は長柄（１）が分割可能に接続されるためのものである。この連結部材（５）には、長柄（１）が両側から挿入される継手部（51）と、該継手部（51）の両端部に内蔵した歯状の抜け防止具（52）とがある。この連結部材（５）としては、イノック株式会社製の日本水道協会品質認定センター認証登録品の継手を用いると良い。又、長柄（１）を２分割する際は、図３に示す専用リムーバー（53）を使用する。
【００２１】
（６）は長柄（１）の後端側に配置された操作盤であり、該操作盤（６）には、スタンガン用ボタン（61）と、催涙スプレー用ボタン（62）と、スタンガンの使用後の周囲に生じる残存電流を消去させるためのクリアボタン（63）とがある。またクリアボタン（63）の横に、後述する電源（８）である電池の残量が少なくなった際に、点滅するランプを配置しておくと良い。
【００２２】
（７）は連結部材（５）によって２分割された長柄（１）が紛失しないように一緒に保管するための分割柄固定具である。該分割柄固定具（７）は合成樹脂製で図４に示すような略々Ｘ字状に形成された長柄（１）が挟持可能なものであり、前記分割柄固定具（７）は長柄（１）の分割された一方に取付けられている。
【００２３】
（８）は長柄（１）の後端側に内蔵されたスタンガン（３）及び催涙スプレー装置（４）の電源であり、該電源（８）としては電池を用いる。
【００２４】
（９）は長柄（１）の後端側に装着されたキャップであり、該キャップ（９）は電源（８）である電池の交換時には外される。
【００２５】
先ず始めに本考案の催涙スプレー装置（４）の取付け方法を、図２を参照にして説明する。先ず、催涙スプレー容器（42）の噴射ノズル（41）を容器取付部材（43）の左側へ差し込み、催涙スプレー容器（42）を前に押して、噴射ノズル（41）からスプレー液が左端面の穴から噴射されることを確認する。そして中間部のＵ字状の挟持部によって、催涙スプレー容器（42）の外周がネジ（43b）とナット（43c）を締付ける。この時、催涙スプレー容器（42）がガタツクことなくスライド可能になるように、ネジ（43b）の締付け具合を調節して催涙スプレー容器（42）が容器取付部材（43）に取付けられる。
【００２６】
次にモーター軸（44c）の先端に押出材（44a）を螺合させ、その押出材（44a）を手で止まるまで捩じ込んでおく。そして、この状態で、押出材（44a）を中央に立設した案内筒の穴に挿入させると共に、押出材（44a）の先端を催涙スプレー容器（42）の後端に当設させ、モーター（44c）の位置を確認した後、後方（図中右側）の挟持部とネジ（43b）及びナット（43c）によって、モーター（44c）の外周が締付けられて固定しておく。
【００２７】
その後、長柄（１）の先端部に、容器取付部材（43）の下部の挟持部を嵌め込み、ネジ（43b）とナット（43c）を締付けることにより、催涙スプレー装置（４）が長柄（１）に固定して取付けられるのである。
【００２８】
尚、催涙スプレー液がなくなり、催涙スプレー容器（42）を交換する場合は、先ず容器取付部材（43）上部の挟持部のネジ（43b）とナット（43c）を外し、催涙スプレー容器（42）と容器押出装置（44）を取外す。そして、新たな催涙スプレー容器（42）を先に取付けた後、容器押出装置（44）を上記要領で取付ければ良い。
【００２９】
次に連結部材（５）の使用方法を、図３を参照にして説明する。先ず２分割された長柄（１）の一方を、連結部材（５）の継手部（51）の一端に所定長さ差し込む。その後、継手部（51）の他方から他の長柄（１）を上記同様にして、止まるまで差し込めば、分割された長柄（１）は一体化されるのである。この時、スタンガン（３）と容器押出装置（44）のモーター（44c）の電源（８）からの供給が中断状態であったので、連結部材（５）に於ける接続を確認しておく。つまり、プラグがプラグ受に正常に挿入されているか否かを、催涙スプレー用スイッチ（62）を押し、モーター（44c）の作動をチェックしておくのが好ましい。
【００３０】
長柄（１）を２分割させる場合は、専用リムーバー（53）を、長柄（１）の外周に差し込み、専用リムーバー（53）を押さえている指を手前に引くように力を入れることにより、長柄（１）が抜けるので、長柄（１）が略半分の長さになる。その後、半分の長柄（１）側に取付けられた分割柄固定具（７）を、他の長柄（１）に嵌め込めば、２本に分割された長柄（１）が図４のように一緒になって保管できるものとなるのである。
【００３１】
次に本考案の作用について説明する。本考案品を例えば、幼稚園や学校等で使用する場合について説明する。侵入者が発見された時点で、本考案品が保管されている場所へ行き、２分割された長柄（１）を分割柄固定具（７）から外し、外した長柄（１）を連結部材（５）の継手部（51）の一端に差し込んで長柄（１）を一体化させる。その後、侵入者に捕捉部（２）を向けて侵入者の行動を抑制させる。この時、侵入者が暴れる場合には、催涙スプレー用ボタン（62）を押して催涙スプレー装置（４）を作動させる。すると、モーター（44e）が作動し、押出材（44a）が前に押出されることにより、催涙スプレー容器（42）が左側へ押出されるので、噴射ノズル（41）から催涙スプレー液が侵入者の顔に向けて噴射されるのである。次に催涙スプレー用ボタン（62）を押すと、モーター（44c）が逆転し、押出材（44a）が引き戻されて元の位置に来るのである。
【００３２】
この時、侵入者の顔に向けて催涙スプレー液を噴射させて身体的なダメージを与えると共に、スタンガン用ボタン（61）を押すと、接触子（31）から高圧電圧が侵入者に負荷されるので、侵入者に電気ショックを与えて、身体的なダメージをより強く与えると共に心理的に威嚇させることができる。
【００３３】
このように、侵入者に身体的なダメージを与えると共に心理的な威嚇が行えるので、幼稚園や学校等の子供たちを避難させる時間をより長く確保可能なものとなる。この時、侵入者を解放した後、クリアボタン（63）を押すことにより、接触子（31）周囲の残存電流がなくなり、接触子（31）に触れても感電の恐れのないものとなる。
【符号の説明】
【００３４】
１  長柄
２  捕捉部
３  スタンガン
31  接触子
４  催涙スプレー
41  噴射ノズル
42  催涙スプレー容器
43  容器取付部材
44  容器押出装置
45  増幅用トランス
５  連結部材
51  継手部
52  抜け防止具
６  操作盤
61  スタンガン用ボタン
62  催涙スプレー用ボタン
７  分割柄固定具
【図１】
0003199166.tif 000003
【図２】
0003199166.tif 000004
【図３】
0003199166.tif 000005
【図４】
0003199166.tif 000006